(57)【要約】【課題】フィルム切断の発生を防止する。【解決手段】テンター装置には、クリップ１５が所定の配置ピッチＰ１の間隔で多数取り付けられている。クリップ１５は、フレーム３１、フラッパ３２、レール取付部３３から構成される。フラッパ３２は、取付軸によりフレーム３１に回動自在に取り付けられる。フィルム把持面３１ｂとフラッパ下面３２ｂとによりＰＶＡフィルム６が把持される。クリップ１５の配置ピッチＰ１＝５０ｍｍ、クリップ１５のクリップ幅Ｗ１＝４１ｍｍ、隣り合うクリップ１５間でのＰＶＡフィルム６を把持していない非把持部の長さＬ１＝９ｍｍとする。スリット３２ｃによりフラッパ下面３２ｂを、第１フラッパ下面３２ｄ、第２フラッパ下面３２ｅに２分割する。スリット３２ｃのスリット幅Ｗ２＝３ｍｍ、第１，第２フラッパ下面３２ｄ，３２ｅのフラッパ幅Ｗ３＝１９ｍｍとする。【選択図】                図６
2005035131.tif 000002
【特許請求の範囲】
【請求項１】
屈曲部を有する第１レール及び第２レールに沿って、開閉自在な複数の把持具により両側縁部が把持されたシート状物を搬送して延伸するテンター装置において、
前記複数の把持具の配置ピッチを１００ｍｍ以内とし、前記複数の把持具の把持具間でのシート状物を把持していない非把持部の長さを１０ｍｍ以内とすることを特徴とすることを特徴とするテンター装置。
【請求項２】
前記把持具は、前記シート状物を把持する面を少なくとも２面以上備えたことを特徴とする請求項１記載のテンター装置。
【請求項３】
前記シート状物の搬送方向と交差する方向に張力を付与してシート状物の配向軸を傾斜させて延伸することを特徴とする請求項１または２記載のテンター装置。
【請求項４】
前記シート状物は、液処理されたフィルムであることを特徴とする請求項１ないし３いずれか１つ記載の延伸設備。
【請求項５】
前記シート状物は、ＰＶＡフィルムであることを特徴とする請求項１ないし４いずれか１つ記載の延伸設備。
【発明の詳細な説明】
【０００１】
【発明の属する技術分野】
本発明はテンター装置に関するものである。
【０００２】
【従来の技術】
【特許文献１】
特開２００２−８６５５４号公報（図２）
【０００３】
偏光板は液晶表示装置（以下、ＬＣＤ）の普及に伴い、需要が急増している。偏光板は、一般に偏光能を有する偏光層の両面あるいは片面に、接着剤層を介して保護フィルムが貼り合わされている。偏光層の素材としては、一般にポリビニルアルコール（以下、ＰＶＡ）が主に用いられており、ＰＶＡフィルムを一軸延伸してから、ヨウ素または二色性染料で染色するか、あるいは染色してから延伸し、さらにホウ素化合物で架橋することにより偏光層用の偏光膜が形成される。通常、長手方向に一軸延伸するため、偏光膜の吸収軸は長手方向にほぼ平行となる。幅方向に一軸延伸する場合もあるが、このときに用いられるテンター装置では、左右が対称な軌跡を描いて走行する把持具でフィルムを把持して搬送する。
【０００４】
ＬＣＤにおいては、画面の縦あるいは横方向に対して偏光板の配向軸を４５°傾けて配置しているため、ロール形態で製造される偏光板の打ち抜き工程において、ロール長手方向に対して４５°方向に打ち抜いていた。しかしながら、４５°方向に打ち抜いたときには、ロールの端付近で使用できない部分が発生し、特に大サイズの偏光板では得率が小さくなるという問題があった。貼り合わせ後の偏光板は、材料の再利用も難しく、結果として廃棄物が増えるという問題があった。
【０００５】
このため、搬送方向に対して配光軸を傾斜させた偏光膜を製造するテンター装置が、例えば特許文献１などで提案されている。これらのテンター装置では、左右が非対称な軌跡を描いて走行する把持具によってフィルムを把持し、搬送することによって、搬送方向に対して傾斜角度をつけた方向にフィルムを延伸している。
【０００６】
【発明が解決しようとする課題】
偏光板用のフィルムは軽量化などの要請により薄いフィルムが要求されており、これに伴いフィルム剛性が小さいフィルムの横延伸が必要になってきている。一般には、偏光板用のフィルムは、染色、硬膜等の液処理後に延伸される。この延伸の際に、フィルム剛性が小さいフィルムの場合には、隣り合う把持具間の把持されていないフィルム非把持部が、テンターレール上の屈曲部を通過する際に搬送方向で引っ張られ、把持具によるフィルム把持部との間で剪断力が発生してしまう。特に、特許文献１のような斜めに延伸させるテンター装置では、左右のガイドレールは大きく屈曲しており、その屈曲部では、フィルムが斜め方向に引っ張られるため、剪断力が大きくなり、フィルムが切断されてしまうことがあった。また、把持具のサイズが大きいと、屈曲部でのフィルム非把持部の間隔の変動が大きく、フィルムが切断され易くなってしまう。把持具サイズを小さくすると、軸受としてミニチュアベアリングが必要となり、耐久性が大幅に低下してしまう。さらに、テンターとして一般的な一軸延伸、二軸延伸、多段延伸の場合においても、その変化点でフィルムが切断されてしまうことがあった。
【０００７】
本発明は上記課題を解決するためのものであり、フィルム切断が発生しないようにしたテンター装置を提供することを目的とする。
【０００８】
【課題を解決するための手段】
上記目的を達成するために、本発明のテンター装置は、第１レール及び第２レールに沿って、開閉自在な複数の把持具により両側縁部が把持されたシート状物を搬送して延伸するテンター装置において、前記複数の把持具の配置ピッチを１００ｍｍ以内とし、前記複数の把持具の把持具間でのシート状物を把持していない非把持部の長さを１０ｍｍ以内とするものである。なお、前記複数の把持具の配置ピッチは、６０ｍｍ以内が好ましい。
【０００９】
また、前記把持具は、前記シート状物を把持する面を少なくとも２面以上備えることが好ましい。さらに、前記シート状物の搬送方向と交差する方向（シート状物の平面内）に張力を付与してシート状物の配向軸を傾斜させて延伸することが好ましい。また、前記シート状物は、液処理されたフィルムであることが好ましく、ＰＶＡフィルムであることがさらに好ましい。
【００１０】
【発明の実施の形態】
偏光板作製に際し、特に、得率の良いとされる斜め延伸、より好ましくは４５°延伸の態様について説明する。図１は、本発明を実施したＰＶＡフィルム延伸機２を示す概略の平面図である。ＰＶＡフィルム延伸機２は、処理装置３とテンター装置４とから構成される。処理装置３には、ＰＶＡ（ポリビニルアルコール）フィルム６の搬送方向上流側（図中左側）から順に、洗浄槽７、染色槽８、硬膜槽９が設けられている。洗浄槽７には洗浄液が、染色槽８には沃素等の染色剤の水溶液が、硬膜槽９には硼酸等の硬膜剤の水溶液が所定量貯留されており、入口１０から挿入され、図示しない搬送機構により各槽７〜９を搬送されるＰＶＡフィルム６を洗浄、染色、硬膜処理する。各槽７〜９で処理されたＰＶＡフィルム６は、湿潤な状態でテンター装置４に搬送される。なお、処理装置３を洗浄槽７、染色槽８、硬膜処理槽９の３槽によって構成したが、必要に応じて着色槽等の新たな槽を追加してもよい。また、染色槽、硬膜槽を１槽に統合すること等により槽数を減らすことも可能である。
【００１１】
図１に示すように、テンター装置４は、左レール１１と、右レール１２と、これらレール１１，１２に案内される無端チェーン（エンドレスチェーン）１３，１４とから構成されている。このテンター装置４はテンター入口１７側から順に、予熱部４ａ、延伸部４ｂ、熱処理部４ｃの各エリアに分けられている。予熱部４ａ、延伸部４ｂはＰＶＡフィルム６を延伸しやすくするために高温、高湿に保たれている。
【００１２】
無端チェーン１３，１４には、把持具としてのクリップ１５が所定ピッチで多数取り付けられている。このクリップ１５はＰＶＡフィルム６の側縁部を把持しながら、各レール１１，１２に沿って移動することで、ＰＶＡフィルム６を延伸する。このテンター装置４では、左レール１１と、右レール１２とが別個の屈曲した軌跡を描くことで、延伸されるＰＶＡフィルム６は長手方向に対して垂直でない方向に延伸され、斜めの配向軸をもつ光学用ポリマーフィルムとなる。
【００１３】
無端チェーン１３，１４は原動スプロケット２１，２２及び従動スプロケット２３，２４との間に掛け渡されており、これらスプロケット２１〜２４の間では、無端チェーン１３は左レール１１によって、無端チェーン１４は右レール１２によって案内される。原動スプロケット２１，２２はテンター入口１７側に設けられており、これらは図示しない駆動機構により回転駆動される。また、従動スプロケット２３，２４はテンター出口２６側に設けられている。
【００１４】
図２に示すように、クリップ１５は、略コ字形状のフレーム３１、フラッパ３２、レール取付部３３から構成されている。フラッパ３２は、取付軸３１ａによりフレーム３１に回動自在に取り付けられている。レール取付部３３には、左チェーン１３または右チェーン１４が取り付けられる。図２は把持開始直前の状態を、図３は把持直後の状態をそれぞれ示している。フラッパ３２は、鉛直状態となるフィルム把持位置（閉位置）と、入口部開放部材４１，４２及び出口部開放部材４３，４４に係合頭部３２ａが接触して斜めに回転した状態となる開放位置との間で変位し、通常は自重によりフィルム把持位置となるように付勢されている。フィルム把持位置ＰＡでは、フィルム把持面３１ｂとフラッパ下面３２ｂとによりＰＶＡフィルム６が把持される。搬送ローラ３６は、図示しないモータにより回転駆動され、フィルム搬送方向Ａ１に沿ってＰＶＡフィルム６をフィルム把持位置ＰＡに搬送する。
【００１５】
レール取付部３３は、取付フレーム４５と、ガイドローラ４６，４７，４８とから構成されている。取付フレーム４５には、左チェーン１３または右チェーン１４が取り付けられる。ガイドローラ４６〜４８は、図２に示すように原動スプロケット２１，２２の各支持面に接触するか、図３に示すように左レール１１または右レール１２の支持面に接触するかして、回転する。これにより、各スプロケット２１，２２や各レール１１，１２からクリップ１５が脱落することなく、各レール１１，１２に沿って案内される。
【００１６】
テンター入口１７には、クリップ１５を開放位置に変位させる入口部開放部材４１が左レール１１に、入口部開放部材４２が右レール１２にそれぞれ取り付けられている。テンター出口２６には、クリップ１５を開放位置に変位させる出口部開放部材４３が左レール１１に、出口部開放部材４４が右レール１２にそれぞれ取り付けられている。図４に示すように、各開放部材４１〜４４は、クリップ１５の係合頭部３２ａを案内するテーパ部４１ａ〜４４ａと、クリップ１５の把持を開放する開放部４１ｂ〜４４ｂとから構成される。
【００１７】
入口部開放部材４１，４２は、フィルム把持位置ＰＡの前で、クリップ１５の係合頭部３２ａに接触してこれを開放状態にし、ＰＶＡフィルム６の側縁部の受け入れを可能にする。そして、把持位置を通過するときに入口部開放部材４１，４２から離れ、クリップ１５が開放位置から把持位置にセットされて、ＰＶＡフィルム６の側縁部が把持される。同様にして、出口部開放部材４３，４４は、フィルム把持解除位置ＰＢで、クリップ１５を開放し、ＰＶＡフィルム６の側縁部の把持を開放する。フィルム把持解除位置ＰＢでクリップ１５による把持が開放されたＰＶＡフィルム６は、テンター出口２６から排出される。テンター出口２６から排出されたＰＶＡフィルム６は、次の装置（ラミネート装置など）に送られる。なお、各開放部材４１〜４４は、クリップ１５との接触抵抗を小さく抑えるために、樹脂製のものが好ましく用いられる。樹脂としては、ナイロン、デルリン等が用いられる。
【００１８】
テンター出口２６から排出されたＰＶＡフィルム６は、斜め延伸によって延伸軸が傾いており、偏光膜として最適なものとなる。この偏光膜にＴＡＣ（トリアセチルセルロース）フィルムを貼り合わせることにより、偏光板が製造される。斜め延伸としては、４５°延伸が好ましい。
【００１９】
図５及び図６（Ａ）に示すように、クリップ１５は、配置ピッチＰ１の間隔で取り付けられている。テンター装置４の延伸部４ｂは、左レール１１と、右レール１２とが別個の屈曲した軌跡を描いており、特に、左レール１１、右レール１２の屈曲部１１ａ，１２ａでは大きくレールが屈曲している。そのため、この屈曲部１１ａ、１２ａで、隣り合うクリップ１５間でのＰＶＡフィルム６を把持していない非把持部の間隔の変動が起こる。クリップ１５のサイズが大きいと、この非把持部の間隔の変動が大きくなり、ＰＶＡフィルム６が破れ易くなる。一方、クリップ１５のサイズを小さくすると、クリップ１５の強度及び耐久性が低下し、使用寿命が短くなる。クリップ１５の配置ピッチＰ１及びクリップ幅Ｗ１は、ＰＶＡフィルム６の破れ易さ、クリップ１５の強度及び耐久性を勘案して決定するが、通常Ｐ１＝７５ｍｍ〜１５０ｍｍ、Ｗ１＝６０ｍｍ〜１２０ｍｍ程度にするのが一般的であり、本実施例では、クリップ１５の配置ピッチＰ１＝５０ｍｍ、クリップ１５のクリップ幅Ｗ１＝４１ｍｍとし、隣接するクリップ１５間でのＰＶＡフィルム６を把持していない非把持部の長さＬ１＝９ｍｍとしている。
【００２０】
テンター装置４では、隣り合うクリップ１５間でのＰＶＡフィルム６を把持していない非把持部が、テンター装置４の内側に引き込まれる形で、クリップ１５による把持部との間でが発生する。そこで、この剪断力を分散させるために、図６（Ｂ）に示す下側面図のように、フラッパ３２のフラッパ下面３２ｂの幅方向の中心にスリット３２ｃを設け、このスリット３２ｃによりフラッパ下面３２ｂを、第１フラッパ下面３２ｄ、第２フラッパ下面３２ｅに２分割している。また、第１フラッパ下面３２ｄ、第２フラッパ下面３２ｅは、四角がそれぞれＲ形状になっている。本実施例では、スリット３２ｃのスリット幅Ｗ２＝３ｍｍとし、第１，第２フラッパ下面３２ｄ，３２ｅのフラッパ幅Ｗ３＝１９ｍｍとする。
【００２１】
次に、本実施形態の作用を説明する。入口１０から挿入されたＰＶＡフィルム６は、処理装置３の洗浄槽７に搬送される。図示しない搬送機構により洗浄槽７、染色槽８、硬膜槽９を搬送されるＰＶＡフィルム６は洗浄、染色、硬膜処理される。各槽７〜９で処理されたＰＶＡフィルム６は、テンター装置４に搬送される。
【００２２】
テンター装置４に搬送されたＰＶＡフィルム６は、搬送ローラ３６によりフィルム把持位置ＰＡに搬送される。なお、テンター入口１７にＰＶＡフィルム６に幅方向への張力を与えるニップローラ対を、フィルム把持位置ＰＡ直前にＰＶＡフィルム６の上方向への変形を抑える上ガイドローラをそれぞれ設けてもよい。また、テンター入口１７からフィルム把持位置ＰＡの範囲に、ＰＶＡフィルム６の両側縁部を案内する左右のフィルムガイドを設けてもよい。
【００２３】
クリップ１５は、テンター入口１７では入口部開放部材４１，４２により開放状態になっており、ＰＶＡフィルム６がフィルム把持位置ＰＡでクリップ１５内に入ると、クリップ１５が閉じられて、ＰＶＡフィルム６が把持される。クリップ１５は各チェーン１３，１４の回動により、レール１１，１２に沿って移動し、ＰＶＡフィルム６を延伸する。予熱部４ａ、延伸部４ｂはＰＶＡフィルム６を延伸しやすくするために高温、高湿に保たれている。このテンター装置４では、左レール１１と、右レール１２とが別個の屈曲した軌跡を描くことで、延伸されるＰＶＡフィルム６は長手方向に対して垂直でない方向に延伸され、斜めの配向軸をもつ光学用ポリマーフィルムとなる。
【００２４】
延伸されたＰＶＡフィルム６は、フィルム把持解除位置ＰＢで出口部開放部材４３，４４によりクリップ１５の把持が開放され、テンター出口２６から排出される。
【００２５】
テンター出口２６から排出されたＰＶＡフィルム６は、斜め延伸によって延伸軸が傾いており、偏光膜として最適なものとなる。この偏光膜にＴＡＣ（トリアセチルセルロース）フィルムを貼り合わせることにより、偏光板が製造される。斜め延伸としては、４５°延伸が好ましい。
【００２６】
本実施例のクリップ１５と、従来のクリップとを用いて、ＰＶＡフィルム６の引張試験を行うと、クリップ１５は、従来のクリップに比べて、ＰＶＡフィルム６の破断強度及び破断時の延びが大きく（破断強度１０％、破断時の延び５０％）なり、性能が向上している。
【００２７】
このように、クリップ１５の配置ピッチＰ１＝５０ｍｍ、クリップ１５のクリップ幅Ｗ１＝４１ｍｍ、隣り合うクリップ１５間でのＰＶＡフィルム６を把持していない非把持部の長さＬ１＝９ｍｍ、スリット３２ｃのスリット幅Ｗ２＝３ｍｍ、第１，第２フラッパ下面３２ｄ，３２ｅのフラッパ幅Ｗ３＝１９ｍｍとすることにより、クリップ１５の強度及び耐久性を低下させることなく、屈曲部１１ａ、１２ａにおけるクリップ１５によるフィルム把持部と非把持部との間での剪断力を抑制することができ、ＰＶＡフィルム６を切断されることなく安定して延伸することができる。また、テンターとして一般的な一軸延伸、二軸延伸、多段延伸にも本発明は効果的であるが、本実施例のように斜め延伸するテンター装置の場合は、屈曲部１１ａ、１２ａが大きくレールが屈曲しているため、特に効果的である。
【００２８】
なお、上記実施形態では、フラッパ下面３２ｂをスリット３２ｃにより２分割したが、これに限定されることなく、フラッパ下面３２ｂの形状は、図７（Ａ）に示す下側面図のように、スリット３２ｃを斜めに複数いれたものや、図７（Ｂ）に示す下側面図のように、両端部を丸くした形状のものでもよい。
【００２９】
また、上記実施形態では、クリップ１５の配置ピッチＰ１＝５０ｍｍ、クリップ１５のクリップ幅Ｗ１＝４１ｍｍ、隣接するクリップ１５間でのＰＶＡフィルム６を把持していない非把持部の長さＬ１＝９ｍｍとしたが、これに限定されることなく、クリップ１５の配置ピッチＰ１は１００ｍｍ以内好ましくは６０ｍｍ以内であればよく、隣り合うクリップ１５間でのＰＶＡフィルム６を把持していない非把持部の長さＬ１は１０ｍｍ以内であればよく、それに応じてクリップ１５のクリップ幅Ｗ１は適宜変更されるものであるが、好ましくは５０ｍｍ以内である。
【００３０】
図８に他の実施形態を示す。上記実施形態のものと同様の構成部材には同一の符号を付し、その詳細な説明を省略する。この実施形態では、クリップ５０は、フレーム３１、フラッパ３２、レール取付部５１から構成されている。取付フレーム５２には、左チェーン１３または右チェーン１４が取り付けられる。クリップ５０は、左レール１１、右レール１２に取り付けると、ＰＶＡフィルム６を把持するフラッパ３２のフラッパ下面３２ｂの中心と、左レール１１、右レール１２の中心とがほぼ一致するように形成されている。
【００３１】
このように、ＰＶＡフィルム６を把持するフラッパ３２のフラッパ下面３２ｂの中心と、左レール１１、右レール１２の中心とがほぼ一致するようにしたから、大きくレールが屈曲した屈曲部１１ａでもそのレール形状に沿ってクリップ５０を移動させることができ、隣り合うクリップ５０間でのＰＶＡフィルム６を把持していない非把持部の間隔の変動を抑制することができる。
【００３２】
なお、テンター装置４のテンター出口２６でＰＶＡフィルム６の左右に進行速度差があると、テンター出口２６におけるシワ、寄りが発生するため、左右のクリップ１５の速度差は、実質的に同速度であることが求められる。速度差は好ましくは１％以下であり、さらに好ましくは０．５％未満であり、最も好ましくは０．０５％未満である。ここで述べる速度とは、毎分当たりに左右各々のクリップ１５が進む軌跡の長さのことである。一般的なテンター装置等では、チェーンを駆動するスプロケットの歯の周期、駆動モータの周波数等に応じ、秒以下のオーダーで発生する速度ムラがあり、しばしば数％のムラを生ずるが、これらは本発明で述べる速度差には該当しない。
【００３３】
本発明を実施したＰＶＡフィルム延伸機２により延伸することによって、ＰＶＡフィルム６は優れた偏光能を有する偏光膜として利用することができる。得られた偏光膜としてのＰＶＡフィルム６の両面又は片面に保護膜（保護フィルム）を接着剤層を介して設けることにより、偏光板が得られる。得られた偏光板は、優れた単板透過率及び偏光度を有する。したがって、液晶表示装置として用いる場合に、画像のコントラストを高めることができ、有利である。
【００３４】
なお、ポリビニルアルコールのケン化度は特に限定されないが、溶解性等の観点から８０〜１００ｍｏｌ％が好ましく、９０〜１００ｍｏｌ％が特に好ましい。またポリビニルアルコールの重合度は特に限定されないが、１０００〜１００００が好ましく、１５００〜５０００が特に好ましい。
【００３５】
延伸前のＰＶＡフィルム６の好ましい弾性率は、ヤング率で表して、０．０１ＭＰａ以上５０００ＭＰａ以下、更に好ましくは０．１ＭＰａ以上５００ＭＰａ以下である。弾性率が低すぎると延伸時・延伸後の収縮率が低くなり、シワが消えにくくなり、また高すぎると延伸時にかかる張力が大きくなり、ＰＶＡフィルム６の両側縁部を保持する部分の強度を高くする必要が生じ、テンター装置４に対する負荷が大きくなる。
【００３６】
延伸前のＰＶＡフィルム６の厚味は特に限定されないが、フィルム把持の安定性、延伸の均質性の観点から、１μｍ〜１ｍｍが好ましく、２０〜２００μｍが特に好ましい。
【００３７】
本発明に用いられる染色剤としては、ヨウ素−ヨウ化カリウムで生成したＩ３−、Ｉ５−等の多ヨウ素イオンおよび／または有機二色性色素である。二色性色素の具体例としては、例えばアゾ系色素、スチルベン系色素、ピラゾロン系色素、トリフェニルメタン系色素、キノリン系色素、オキサジン系色素、チアジン系色素、アントラキノン系色素等の色素系化合物を挙げることができる。水溶性のものが好ましいが、この限りではない。また、これらの二色性分子にスルホン酸基、アミノ基、水酸基などの親水性置換基が導入されていることが好ましい。二色性分子の具体例としては、例えばシー．アイ．ダイレクト．イエロー１２、シー．アイ．ダイレクト．オレンジ３９、シー．アイ．ダイレクト．オレンジ７２、シー．アイ．ダイレクト．レッド３９、シー．アイ．ダイレクト．レッド７９、シー．アイ．ダイレクト．レッド８１、シー．アイ．ダイレクト．レッド８３、シー．アイ．ダイレクト．レッド８９、シー．アイ．ダイレクト．バイオレット４８、シー．アイ．ダイレクト．ブルー  ６７、シー．アイ．ダイレクト．ブルー９０、シー．アイ．ダイレクト．グリーン５９、シー．アイ．アシッド．レッド３７等が挙げられ、さらに特開昭６２−７０８０２号、特開平１−１６１２０２号、特開平１−１７２９０６号、特開平１−１７２９０７号、特開平１−１８３６０２号、特開平１−２４８１０５号、特開平１−２６５２０５号、特開平７−２６１０２４号の各公報記載の色素等が挙げられる。これらの二色性分子は遊離酸、あるいはアルカリ金属塩、アンモニウム塩、アミン類の塩として用いられる。これらの二色性分子は２種以上を配合することにより、各種の色相を有する偏光子を製造することができる。偏光板として配向軸を直交させた時に黒色を呈する化合物（色素）や黒色を呈するように各種の二色性分子を配合したものが単板透過率、偏光度とも優れており好ましい。本発明のＰＶＡフィルム延伸機２により延伸されたフィルムに対しては、特にヨウ素−ヨウ化カリウムで生成したＩ３−、Ｉ５−等の多ヨウ素イオンが好ましく使用される。
【００３８】
ヨウ素−ヨウ化カリウムで生成したＩ３−、Ｉ５−等の多ヨウ素イオンを偏光子として使用する場合、ヨウ素は０．１〜２０ｇ／Ｌ、ヨウ化カリウムは１〜２００ｇ／Ｌ、ヨウ素とヨウ化カリウムの質量比は１〜２００が好ましい。染色時間は１０〜５０００秒が好ましく、液温度は５〜６０℃が好ましい。
【００３９】
硬膜剤（架橋剤）としては、米国再発行特許第２３２８９７号に記載のものが使用できるが、ホウ酸、ホウ砂が実用的に好ましく用いられる。また、亜鉛、コバルト、ジルコニウム、鉄、ニッケル、マンガン等の金属塩も併せて用いることができる。
【００４０】
また、ＰＶＡフィルム６を延伸する速度は、単位時間当りの延伸倍率で表すと、１．１倍／分以上、好ましくは２倍／分以上で、早いほうが好ましい。また、長手方向の進行速度は、０．１ｍ／分以上、好ましくは１ｍ／分以上で、早いほうが生産性の観点から見て好ましい。いずれの場合も、上限は、延伸するＰＶＡフィルム６及びテンター装置４により異なる。
【００４１】
本発明のＰＶＡフィルム延伸機２において、ＰＶＡフィルム６の両側縁をクリップ１５により把持する際、把持しやすいようにＰＶＡフィルム６を張った状態にしておくことが好ましい。具体的には、ＰＶＡフィルム６の長手方向に張力をかけてフィルムを張るなどの方法が挙げられる。
【００４２】
延伸時の環境温度は、２５℃以上９０℃以下が好ましく、さらに好ましい温度範囲は４０℃以上９０℃以下である。
【００４３】
延伸時の湿度に関しては、調湿雰囲気下で延伸することが好ましく、より好ましくは５０％以上１００％以下、さらに好ましくは８０％以上１００％以下である。
【００４４】
本発明の光学用ポリマーフィルム延伸機２で得られた偏光膜には、各種機能膜を保護膜として直接片面または両面に貼合することができる。機能膜の例としては、λ／４板、λ／２板などの位相差膜、光拡散膜、偏光板と反対面に導電層を設けたプラスチックセル、異方性散乱や異方性光学干渉機能等をもつ輝度向上膜、反射板、半透過機能を持つ反射板等があげられる。
【００４５】
保護膜としては、上に述べた好ましい保護膜を一枚、または複数枚積層して用いることができる。偏光膜の両面に同じ保護膜を貼合しても良いし、両面に異なる機能、物性をもつ保護膜をそれぞれ貼合しても良い。また、片面のみに上記保護膜を貼合し、反対面には直接液晶セルを貼合するために、粘着剤層を直接設けて保護膜を貼合しないことも可能である。この場合粘着剤の外側には、剥離可能なセパレータフィルムを設けることが好ましい。
【００４６】
本発明を実施したＰＶＡフィルム延伸設備２で延伸を行うＰＶＡフィルム６としては、その膜厚が薄いものが多いが、取り扱い時の、ＰＶＡフィルム６の傷つき、裂け等のトラブルを回避するため、ＰＶＡフィルム６を延伸後、少なくとも片面に接着剤を用いて保護膜を貼り合わせ、直後に接着剤を乾燥させるため、加熱することが好ましい。加熱の条件としては、接着剤により異なるが、水系接着剤の場合は、３０℃以上が好ましく、さらに好ましくは４０℃以上１００℃以下、さらに好ましくは５０℃以上８０℃以下である。その後、両端を耳きりする。耳きりの方法としては、刃物などのカッターで切る方法、レーザーを用いる方法など、一般的な技術を用いることができる。これらの工程は一貫した製造ラインで行われることが、性能上及び生産性を高くする上で好ましい。
【００４７】
【発明の効果】
以上説明したように、本発明によれば、複数の把持具の配置ピッチを１００ｍｍ以内好ましくは６０ｍｍ以内とし、複数の把持具の把持具間でのシート状物を把持していない非把持部の長さを１０ｍｍ以内としたから、把持具の強度及び耐久性を低下させることなく、屈曲部における把持具によるシート状物把持部と非把持部との間での剪断力を抑制することができ、シート状物を切断されることなく安定して延伸することができる。
【００４８】
また、把持具は、シート状物を把持する面を少なくとも２面以上備えたから、シート状物の破断強度及び破断時の延びが大きくなり、性能アップを図ることができる。
【図面の簡単な説明】
【図１】本発明を実施したＰＶＡフィルム延伸機の概略を示す平面図である。
【図２】クリップの把持開始直前の状態を示す側面図である。
【図３】クリップの把持開始直後の状態を示す側面図である。
【図４】開放部材とクリップとを示す平面図である。
【図５】クリップの配置状態を示す斜視図である。
【図６】クリップの配置状態を示す側面図である。
【図７】図６に示すフラッパとは別の下面形状のフラッパを示す下側面図である。
【図８】本発明の別の実施形態を示すクリップとレールとを示す側面図である。
【符号の説明】
２  ＰＶＡフィルム延伸機
３  処理装置
４  テンター装置
６  ＰＶＡフィルム
１１  左レール
１１ａ  屈曲部
１２  右レール
１２ａ  屈曲部
１５、５０  クリップ
３１  フレーム
３１ａ  取付軸
３１ｂ  フィルム把持面３１ｂ
３２  フラッパ
３２ａ  係合頭部３２ａ
３２ｂ  フラッパ下面
３２ｃ  スリット
３２ｄ  第１フラッパ下面
３２ｅ  第２フラッパ下面
３３、５１  レール取付部
【図１】
2005035131.tif 000003
【図２】
2005035131.tif 000004
【図３】
2005035131.tif 000005
【図４】
2005035131.tif 000006
【図５】
2005035131.tif 000007
【図６】
2005035131.tif 000008
【図７】
2005035131.tif 000009
【図８】
2005035131.tif 000010